【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】
マルチキャリア変調方式送受信器であって、
トーン管理器と、
少なくとも一つのトレーニング状態中に、受信したトーンディスエーブル化メッセージに基づいて一つ以上のトーンをディスエーブル化するマルチキャリア方式送信器とを備え、
前記メッセージは、一つ以上のトーンをディスエーブル化すべきこと、および一つ以上のトレーニング状態で前記トーンをディスエーブル化すべきこと、の少なくとも一つを指示すること、
を特徴とする送受信器。
【請求項２】
マルチキャリア変調方式送受信器であって、
マルチキャリア方式受信器と、
一つ以上のトレーニング状態中にディスエーブル化すべき一つ以上のトーンを指定するメッセージを決定するコントローラとを備え、
前記メッセージは、一つ以上のトーンをディスエーブル化すべきこと、および一つ以上のトレーニング状態で前記トーンをディスエーブル化すべきこと、の少なくとも一つを指示すること、
を特徴とする送受信器。
【請求項３】
マルチキャリア変調方式通信の方法であって、
少なくとも一つのトレーニング状態中に一つ以上のトーンをディスエーブル化するためにメッセージを受信し、
前記受信メッセージに基づいて前記少なくとも一つのトレーニング状態中に一つ以上のトーンをディスエーブル化することを備え、
前記メッセージは、一つ以上のトーンをディスエーブル化すべきこと、および一つ以上のトレーニング状態で前記トーンをディスエーブル化すべきこと、の少なくとも一つを指示すること、
を特徴とする方法。
【請求項４】
マルチキャリア変調方式通信のための方法であって、
一つ以上のトレーニング状態中にディスエーブル化すべき一つ以上のトーンを指定するメッセージを判定し、
前記メッセージを送信器へ転送することを備え、
一つ以上のテンプレートが無線周波数妨害をモデル化し、一つ以上のディスクリート・マルチトーン・シンボルに対して動的に選択されること、
を特徴とする方法。
【請求項５】
マルチキャリア変調方式通信のための方法であって、
一つ以上のトレーニング状態中にディスエーブル化すべき一つ以上のトーンを指定するメッセージを判定し、
前記メッセージを送信器へ転送することを備え、
前記メッセージは、一つ以上のトーンをディスエーブル化すべきこと、および一つ以上のトレーニング状態で前記トーンをディスエーブル化すべきこと、の少なくとも一つを指示すること、
を特徴とする方法。
【請求項６】
マルチキャリア変調方式通信システムであって、
少なくとも一つのトレーニング状態中に一つ以上のトーンをディスエーブル化するためにメッセージを受信する手段と、
前記受信メッセージに基づいて前記少なくとも一つのトレーニング状態中に一つ以上のトーンをディスエーブル化する手段とを備え、
前記メッセージは、一つ以上のトーンをディスエーブル化すべきこと、および一つ以上のトレーニング状態で前記トーンをディスエーブル化すべきこと、の少なくとも一つを指示すること、
を特徴とするシステム。
【請求項７】
マルチキャリア変調方式通信システムであって、
少なくとも一つのトレーニング状態中に一つ以上のトーンをディスエーブル化するためにメッセージを受信する手段と、
前記受信メッセージに基づいて前記少なくとも一つのトレーニング状態中に一つ以上のトーンをディスエーブル化する手段とを備え、
一つ以上のテンプレートが無線周波数妨害をモデル化し、一つ以上のディスクリートマルチトーンシンボルに対して動的に選択されること、
を特徴とするシステム。
【請求項８】
マルチキャリア変調方式通信システムであって、
一つ以上のトレーニング状態中にディスエーブル化すべき一つ以上のトーンを指定するメッセージを判定する手段と、
前記メッセージを送信器へ転送する手段とを備え、
前記メッセージは、一つ以上のトーンをディスエーブル化すべきこと、および一つ以上のトレーニング状態で前記トーンをディスエーブル化すべきこと、の少なくとも一つを指示すること、
を特徴とするシステム。
【請求項９】
マルチキャリア変調方式送受信器においてトレーニング中にトーンをディスエーブル化する方法であって、
少なくとも一つ以上のトレーニング状態中にディスエーブル化すべきトーンのインデックスを含むメッセージを、第二のマルチキャリア変調方式送受信器から受信し、
前記第二のマルチキャリア変調方式送受信器に対して、トレーニング信号を送信することを備え、
前記トレーニング信号は、前記メッセージに基づいて、少なくとも一つの前記トレーニング状態中にディスエーブル化された前記トーンを少なくとも一つ有し、前記少なくとも一つのトレーニング状態は、その間に、前記第二のマルチキャリア変調方式送受信器が、少なくとも一つキャリアの上の信号対雑音比（ＳＮＲ）を判定するトレーニング状態であること、
を特徴とする方法。
【請求項１０】
マルチキャリア変調方式送受信器においてトレーニング中にトーンをディスエーブル化する方法であって、
少なくとも一つ以上のトレーニング状態中にディスエーブル化すべきトーンのインデックスを含むメッセージを、第二のマルチキャリア変調方式送受信器に対して送信し、
前記第二のマルチキャリア変調方式送受信器からトレーニング信号を受信することを備え、
前記トレーニング信号は、前記メッセージに基づいて、少なくとも一つの前記トレーニング状態中にディスエーブル化された前記トーンを少なくとも一つ有し、前記少なくとも一つのトレーニング状態は、その間に、前記マルチキャリア変調方式送受信器が、少なくとも一つキャリアの上の信号対雑音比（ＳＮＲ）を判定するトレーニング状態であること、
を特徴とする方法。 
【請求項１１】 
トレーニング中にトーンをディスエーブル化することが可能なマルチキャリア変調方式送受信器であって、
少なくとも一つ以上のトレーニング状態中にディスエーブル化すべきトーンのインデックスを含むメッセージを、第二のマルチキャリア変調方式送受信器から受信する手段と、
前記第二のマルチキャリア変調方式送受信器に対して、トレーニング信号を送信する手段とを備え、
前記トレーニング信号は、前記メッセージに基づいて、少なくとも一つの前記トレーニング状態中にディスエーブル化された前記トーンを少なくとも一つ有し、前記少なくとも一つのトレーニング状態は、その間に、前記第二のマルチキャリア変調方式送受信器が、少なくとも一つキャリアの上の信号対雑音比（ＳＮＲ）を判定するトレーニング状態であること、
を特徴とする送受信器。
【請求項１２】
トレーニング中にトーンをディスエーブル化することが可能なマルチキャリア変調方式送受信器であって、
少なくとも一つ以上のトレーニング状態中にディスエーブル化すべきトーンのインデックスを含むメッセージを、第二のマルチキャリア変調方式送受信器に対して送信する手段と、
前記第二のマルチキャリア変調方式送受信器からトレーニング信号を受信する手段とを備え、
前記トレーニング信号は、前記メッセージに基づいて、少なくとも一つの前記トレーニング状態中にディスエーブル化された前記トーンを少なくとも一つ有し、前記少なくとも一つのトレーニング状態は、その間に、前記マルチキャリア変調方式送受信器が、少なくとも一つキャリアの上の信号対雑音比（ＳＮＲ）を判定するトレーニング状態であること、
を特徴とする送受信器。
【請求項１３】
トレーニング状態中にトーンをディスエーブル化することが可能なマルチキャリア変調方式送受信器であって、
少なくとも一つ以上のトレーニング状態中にディスエーブル化すべきトーンのインデックスを含むメッセージを、第二のマルチキャリア変調方式送受信器から受信するトーン管理器と、
前記第二のマルチキャリア変調方式送受信器に対して、トレーニング信号を送信する送信器とを備え、
前記トレーニング信号は、前記メッセージに基づいて、少なくとも一つの前記トレーニング状態中にディスエーブル化された前記トーンを少なくとも一つ有し、前記少なくとも一つのトレーニング状態は、その間に、前記第二のマルチキャリア変調方式送受信器が、少なくとも一つキャリアの上の信号対雑音比（ＳＮＲ）を判定するトレーニング状態であること、
を特徴とする送受信器。
【請求項１４】
トレーニング状態中にトーンをディスエーブル化することが可能なマルチキャリア変調方式送受信器であって、
少なくとも一つ以上のトレーニング状態中にディスエーブル化すべきトーンのインデックスを含むメッセージを、第二のマルチキャリア変調方式送受信器に対して送信する送信器と、
前記第二のマルチキャリア変調方式送受信器からトレーニング信号を受信するトーン管理器とを備え、
前記トレーニング信号は、前記メッセージに基づいて、少なくとも一つの前記トレーニング状態中にディスエーブル化された前記トーンを少なくとも一つ有し、前記少なくとも一つのトレーニング状態は、その間に、前記マルチキャリア変調方式送受信器が、少なくとも一つキャリアの上の信号対雑音比（ＳＮＲ）を判定するトレーニング状態であること、
を特徴とする送受信器。